(57)【要約】【課題】マイコンに故障や暴走というトラブルが発生した場合、出湯温度制御機能が正常に動作せず出湯温度が高くなる可能性があるという課題を有していた。【解決手段】マイコン２とは別に独立して高温出湯判定手段５で出湯温度を判定し、出湯温度がある温度以上であれば、マイコン２を介することなく高温出湯判定手段５の信号を受けて燃焼停止手段６で電源部２への電源供給を停止し、ガスバーナの燃焼を停止することで、マイコンの高温出湯防止機能が正常に機能しない場合でも燃焼を停止し高温出湯を防止することができる。【選択図】図１
2008133993.tif 000002
【特許請求の範囲】
【請求項１】
給湯器の電源部と、前記電源部の電源にて動作し、前記給湯器の加熱手段を制御する制御手段と、前記給湯器の出湯温度を検知する温度検知手段と、前記温度検知手段で検知した温度を前記制御手段とは別に独立して判定する高温出湯判定手段と、前記高温出湯判定手段の出力により、前記給湯器の加熱手段の加熱を停止する加熱停止手段を備え、前記加熱停止手段は、前記温度検知手段で検知した出湯温度が、ある温度以上であると判定した前記高温出湯判定手段の出力を受けて前記給湯器の加熱手段の加熱を停止させるように構成した給湯器。
【請求項２】
加熱停止手段は、給湯器の電源部への電源供給を遮断する請求項１記載の給湯器。
【請求項３】
加熱停止手段は、給湯器の加熱手段への熱源供給手段への電源供給を遮断する請求項１記載の給湯器。
【請求項４】
加熱停止手段は、給湯器の加熱手段への熱源供給手段を制御する熱源供給制御手段への電源供給を遮断する請求項１記載の給湯器。
【請求項５】
加熱停止手段は、制御手段からの信号で給湯器の加熱手段に熱源を供給している熱源供給手段を強制的に熱源の供給停止に切り換える請求項１記載の給湯器。
【請求項６】
加熱停止手段は、給湯器の出湯温度がある温度以上になった状態が、ある時間継続すれば、前記給湯器の加熱手段の加熱を停止させるように構成した請求項１〜５のいずれか１項記載の給湯器。
【発明の詳細な説明】
【技術分野】
【０００１】
本発明は出湯温度検知手段で出湯温度検知し、前記出湯温度検知手段からの信号を制御手段で処理し出湯制御を行う給湯器に関する。
【背景技術】
【０００２】
従来、この種の給湯器は、出湯温度検知手段と前記出湯温度検知手段からの信号を処理し出湯制御を行う制御手段としてマイコンを有しており、前記マイコンが出湯温度異常と判断すると高温出湯防止制御を行ったり、燃焼を停止したり行うものであった（例えば、特許文献１、特許文献２、特許文献３）。
【０００３】
図８は、特許文献１に記載された従来の給湯システムを示すものである。図８に示すように、給湯器１は、電源部２とマイコン３と出湯温度検知手段４と燃焼停止手段６で構成されている。
【特許文献１】特開平１１−１５３３５６号公報
【特許文献２】特開平１１−１５３３５７号公報
【特許文献３】特開平１１−１３２５６３号公報
【発明の開示】
【発明が解決しようとする課題】
【０００４】
しかしながら、前記従来の構成では、出湯温度検知手段で検知した湯の温度はマイコンで判断し制御されるため、出湯温度制御機能はマイコンが正常に動作していることが前提条件になるという問題を有していた。また、マイコンに故障や暴走というトラブルが発生した場合、出湯温度制御機能が正常に動作せず出湯温度が高くなる可能性があるという問題も有していた。
【０００５】
前記従来の問題点に鑑み、本発明が解決しようとする課題は、出湯温度がある温度以上の高温になれば通常の制御ではなく、強制的に加熱を停止する安全な給湯器を提供することにある。
【課題を解決するための手段】
【０００６】
前記課題を解決するために、本発明の給湯器は、給湯器の電源部と、前記電源部の電源にて動作し、前記給湯器の加熱手段を制御する制御手段と、前記給湯器の出湯温度を検知する温度検知手段と、前記温度検知手段で検知した温度を前記制御手段とは別に独立して判定する高温出湯判定手段と、前記高温出湯判定手段の出力により、前記給湯器の加熱手段の加熱を停止する加熱停止手段を備え、前記加熱停止手段は、前記温度検知手段で検知した出湯温度が、ある温度以上であると判定した前記高温出湯判定手段の出力を受けて前記給湯器の加熱手段の加熱を停止させるように構成したもので、給湯器の制御手段とは別に独立して出湯温度の判定と加熱の停止ができ、安全な給湯器にできるものである。
【０００７】
例えば、制御手段として使用したマイクロコンピュータ（以下、マイコンという）に故障や暴走というトラブルが発生し、マイコンの高温出湯防止機能が正常に機能しない場合でも給湯器の加熱手段の停止と高温出湯を防止することができる。
【発明の効果】
【０００８】
本発明の給湯器は、給湯器の加熱手段を制御する制御手段とは別に、前記制御手段に異常が起こり、出湯温度がある温度以上の高温になったことを判定した高温出湯判定手段の出力で加熱停止手段が給湯器の加熱を停止させるので、通常の制御を行う制御手段に異常
が発生して制御不能になっても、給湯器の加熱手段の加熱停止と高温出湯の防止ができ安全な給湯器を提供できる。
【発明を実施するための最良の形態】
【０００９】
第１の発明は、給湯器の電源部と、前記電源部の電源にて動作し、前記給湯器の加熱手段を制御する制御手段と、前記給湯器の出湯温度を検知する温度検知手段と、前記温度検知手段で検知した温度を前記制御手段とは別に独立して判定する高温出湯判定手段と、前記高温出湯判定手段の出力により、前記給湯器の加熱手段の加熱を停止する加熱停止手段を備え、前記加熱停止手段は、前記温度検知手段で検知した出湯温度が、ある温度以上であると判定した前記高温出湯判定手段の出力を受けて前記給湯器の加熱手段の加熱を停止させるように構成した給湯器で、給湯器の制御手段とは別に独立して出湯温度の判定と加熱手段の加熱の停止ができ、給湯器の加熱手段の加熱停止と高温出湯の防止ができ、安全な給湯器にできる。
【００１０】
例えば、制御手段として使用したマイクロコンピュータ（以下、マイコンという）に故障や暴走というトラブルが発生し、マイコンの高温出湯防止機能が正常に機能しない場合でも給湯器の加熱手段の加熱停止と高温出湯を防止することができる。また、本実施の形態をガスを熱源とするガス給湯器に適用した際は、温度検知手段で検知した出湯温度がある温度以上であると高温出湯判定手段で判定すると、高温出湯判定手段は燃焼停止手段へ燃焼停止信号を出力し、燃焼停止手段は制御手段とは別に独立してガスバーナの燃焼を停止することができる。
【００１１】
第２の発明は、特に、第１の発明の加熱停止手段で、給湯器の電源部への電源供給を遮断する給湯器である。こうすることで、温度検知手段で検知した出湯温度がある温度以上であると高温出湯判定手段で判定すると、前記高温出湯判定手段は加熱停止手段へ加熱停止信号を出力し、前記加熱停止手段は給湯器の電源部への電源供給を遮断することができる。
【００１２】
従って、例えば、制御手段として使用したマイコンとは別に独立して給湯器の出湯温度の判定と加熱手段の加熱停止ができ、マイコンに故障や暴走というトラブルが発生しマイコンの高温出湯防止機能が正常に機能しない場合でも給湯器の加熱手段の加熱停止と高温出湯を防止することができる。
【００１３】
また、本実施の形態をガスを熱源とするガス給湯器に適用した際は、温度検知手段で検知した出湯温度がある温度以上であると高温出湯判定手段で判定すると高温出湯判定手段は燃焼停止手段へ燃焼停止信号を出力し、燃焼停止手段は給湯器の電源部へのＡＣ１００Ｖを遮断し、燃焼を停止することができる。
【００１４】
第３の発明は、特に、第１の発明の加熱停止手段で、給湯器の加熱手段への熱源供給手段への電源供給を遮断する給湯器である。こうすることで、温度検知手段で検知した出湯温度がある温度以上であると高温出湯判定手段で判定すると、高温出湯判定手段は加熱停止手段へ加熱停止信号を出力し、加熱停止手段は給湯器の加熱手段への熱源供給手段への電源供給を遮断するため、前記熱源供給手段の動作が停止して加熱手段の加熱が停止することになる。
【００１５】
従って、例えば、制御手段として使用したマイコンとは別に独立して給湯器の出湯温度の判定と加熱手段の加熱停止ができ、マイコンに故障や暴走というトラブルが発生しマイコンの高温出湯防止機能が正常に機能しない場合でも加熱を停止し高温出湯を防止することができる。また、熱源供給手段への電源供給のみを遮断するため、他の機能は動作可能にしておくことができる。
【００１６】
また、本実施の形態を、ガスを熱源とするガス給湯器に適用した際は、温度検知手段で検知した出湯温度がある温度以上であると高温出湯判定手段で判定すると、高温出湯判定手段は燃焼停止手段へ燃焼停止信号を出力し、燃焼停止手段は熱源供給手段であるガス弁の電源を遮断するため燃焼を停止することができる。従って、ガス弁の電源のみを遮断するため、他の機能は動作可能にしておくことができる。
【００１７】
第４の発明は、特に、第１の発明の加熱停止手段で、給湯器の加熱手段への熱源供給手段を制御する熱源供給制御手段への電源供給を遮断する給湯器である。こうすることで、温度検知手段で検知した出湯温度がある温度以上であると高温出湯判定手段で判定すると、高温出湯判定手段は加熱停止手段へ加熱停止信号を出力し、前記加熱停止手段は給湯器の加熱手段への熱源供給手段を制御する熱源供給制御手段の電源を遮断するため、前記熱源供給手段が動作することができなくなり、給湯器の加熱手段の加熱動作を停止することができる。
【００１８】
従って、例えば、制御手段として使用したマイコンとは別に独立して給湯器の出湯温度の判定と加熱手段の加熱停止ができ、マイコンに故障や暴走というトラブルが発生しマイコンの高温出湯防止機能が正常に機能しない場合でも給湯器の加熱停止と高温出湯を防止することができる。また、給湯器の加熱手段への熱源供給手段を制御する熱源供給制御手段の電源のみを遮断するため、他の機能は動作可能にしておくことができる。そして、製品の小型化やコストダウンができる。
【００１９】
また、本実施の形態を、ガスを熱源とするガス給湯器に適用した際は、温度検知手段で検知した出湯温度がある温度以上であると高温出湯判定手段で判定すると、高温出湯判定手段は燃焼停止手段へ燃焼停止信号を出力し、燃焼停止手段は熱源供給制御手段であるガス弁駆動手段の電源を遮断するためガス弁を駆動することができなくなり燃焼を停止することができる。従って、ガス弁駆動手段の電源のみを遮断するため他の機能は動作可能にしておくことができる。
【００２０】
第５の発明は、特に、第１の発明の加熱停止手段で、制御手段からの信号で給湯器の加熱手段に熱源を供給している熱源供給手段を強制的に熱源の供給停止に切り替える給湯器である。こうすることで、温度検知手段で検知した給湯器の出湯温度がある温度以上であると高温出湯判定手段で判定すると、この高温出湯判定手段から出力を受けた加熱停止手段は、制御手段からの信号で給湯器の加熱手段に熱源を供給している熱源供給制御手段を熱源の供給停止に切り替えるため、熱源供給手段の熱源供給を停止させ、加熱を停止することができる。
【００２１】
従って、例えば、制御手段として使用したマイコンとは別に独立して給湯器の出湯温度の判定と加熱の停止ができ、マイコンに故障や暴走というトラブルが発生しマイコンの高温出湯防止機能が正常に機能しない場合でも給湯器の加熱の停止と高温出湯を防止することができる。また、マイコンからの熱源供給制御手段への熱源供給信号を熱源供給停止側に切り替えるだけなので、他の機能は動作可能にしておくことができる。また、更なる製品の小型化やコストダウンができる。
【００２２】
また、本実施の形態を、ガスを熱源とするガス給湯器に適用した際は、温度検知手段で検知した出湯温度がある温度以上であると高温出湯判定手段で判定すると、高温出湯判定手段はマイコンから出力しているガス弁駆動信号をガス弁へ至る途中で強制的に閉弁側へ切り替えるため、ガス弁駆動手段はガス弁を閉弁し、燃焼を停止することができる。従って、マイコンからのガス弁駆動信号を閉弁側に切り替えるだけなので、他の機能は動作可能にしておくことができる。
【００２３】
第６の発明は、特に、第１〜第５の発明のいずれかの発明の加熱停止手段で、給湯器の出湯温度がある温度以上になった状態が、ある時間継続すれば、前記給湯器の加熱手段の加熱を停止させるように構成した給湯器である。こうすることで、温度検知手段で検知した出湯温度がある温度以上であると高温出湯判定手段で判定すると、この高温出湯判定手段はタイマー手段へ加熱停止信号を出力する。このタイマー手段は加熱停止信号がある期間継続すると加熱停止手段に加熱停止信号を伝達し、この加熱停止手段は加熱を停止する。
【００２４】
従って、例えば、制御手段として使用したマイコンとは別に独立して給湯器の出湯温度の判定と加熱の停止ができ、マイコンに故障や暴走というトラブルが発生しマイコンの高温出湯防止機能が正常に機能しない場合でも、給湯器の加熱停止と高温出湯を防止することができる。また、給湯器の出湯温度がある温度以上になった状態がある時間継続しないと加熱停止が作動しないので、ノイズ等の影響で一瞬の間、高温出湯と判定してしまうことによる加熱停止を防止することができる。
【００２５】
また、本実施の形態を、ガスを熱源とするガス給湯器に適用した際は、温度検知手段で検知した出湯温度がある温度以上であると高温出湯判定手段で判定すると、高温出湯判定手段はタイマー手段へ燃焼停止信号を出力する。タイマー手段は燃焼停止信号がある期間継続すると燃焼停止手段に燃焼停止信号を伝達し燃焼停止手段は燃焼を停止する。
【００２６】
以下、本発明の実施の形態について、図面を参照しながら説明する。なお、本実施の形態によって本発明が限定されるものではない。また、本実施の形態の説明において、同一構成で同一作用効果を奏するところには同一符号を付して重複した説明を行わないものとする。
【００２７】
（実施の形態１）
図１は、本発明の実施の形態１におけるガスを熱源とするガス給湯器の構成図を示すものである。図１において、商用電源を電源とする給湯器１があり、この給湯器１にはガス元栓を通じて図示矢印のごとく供給された熱源としてのガスを、電源の通電、停止により開閉して供給、停止する熱源供給手段としてのガス弁１２と、ガス弁１２を通じて供給されたガスを燃焼する加熱手段としてのガスバーナ２１と、ガスバーナ２１に加熱されて図示矢印の如く流れる給水を温水に熱交換して給湯する給湯熱交換器２０と、ガス弁１２の開閉によるガスバーナ２１の燃焼と停止及びガス弁２１の開度を調整し、給湯器１の出湯温度を設定温度にする熱源供給制御手段としてのガス弁駆動手段１１とを備えている。
【００２８】
また、給湯器1は、商用電源に接続され、給湯器１を制御するために必要な電源を供給する電源部２と、電源部２より電源を供給されて動作し、かつ給湯器１の全体の運転制御を行うプログラムを内蔵するとともに、ガス弁駆動手段１１がガス弁１２の開閉及び開度を調整し、給湯器１の出湯温度が設定温度になうようにガス弁駆動手段１１に信号を出力する、所謂、高温出湯防止機能を含む通常の制御を行うマイコン及びその周辺回路からなる制御手段としてのマイコン３と、給湯熱交換器２０からの出湯温度を検知しマイコン３に出力する温度検知手段４と、温度検知手段４で検知した温度を受け、この温度がある温度以上の高温か否かを、マイコン３とは別に独立して設けて判定する高温出湯判定手段５と、高温出湯判定手段５で、ある温度以上であると判定した場合に高温出湯判定手段５から出力される加熱停止信号としての燃焼停止信号を受けて、マイコン３とは別に独立して設け、給湯器１への電源供給を停止し、ガス弁１２を閉じてガスの供給を停止し、ガスバーナ２１の燃焼を停止する加熱停止手段としての燃焼停止手段６を備えている。
【００２９】
さらに、マイコン３は、通常の制御にあっては温度検知手段４で検出された出湯温度と
設定温度に基き湯温を制御し、出湯温度を設定温度に制御するものであるから、正常に機能を発揮している通常の制御の場合においては高温出湯を防止する機能を有している。
【００３０】
以上のように構成された給湯器について、以下その動作、作用を説明する。給湯器１が給湯運転を行う場合、マイコン３は温度検知手段４で検出された出湯温度と設定温度によりガス弁駆動手段１１を介しガス弁１２を制御して給湯器１のガスバーナ２１の燃焼を制御し、設定温度の湯が出湯されるように通常の制御を行う。そして、このような正常の給湯制御にあって、マイコン３が故障や暴走というトラブルが発生すると給湯器１は通常の制御が機能しなくなり、高温出湯の防止作用が失われる。
【００３１】
その結果、高温出湯判定手段５は温度検知手段４で検出された出湯温度がある温度以上か否かをマイコン３とは別に独立して判定し、ある温度以上であると判定した場合は、この判定した信号を受けてマイコン３とは別に独立して燃焼停止手段６はガス弁１２が閉じるように給湯器１の電源部２への電源供給を停止し、ガスバーナ２１の燃焼を停止する。
【００３２】
以上のように本実施の形態においては、温度検知手段４で検知した出湯温度がある温度以上であると高温出湯判定手段５が判定すると高温出湯判定手段５は燃焼停止手段６へ燃焼停止信号を出力するため、マイコンとは別に独立して出湯温度の判定と燃焼の停止ができ、マイコンに故障や暴走というトラブルが発生しマイコンの高温出湯防止機能が正常に機能しない場合でも、給湯器の燃焼停止と高温出湯を防止することができる。
【００３３】
（実施の形態２）
図２は、本発明の実施の形態２におけるガス給湯器の構成図を示すものである。本実施の形態は、図１に示す燃焼停止手段６の具体的な構成に係る点で図１に示す実施の形態１の発明と異なり、それ以外の同一構成並びに作用効果を奏する部分には図１と同一符号を付して詳細な説明を省略し、異なる部分を中心に説明する。
【００３４】
図２において、図１における燃焼停止手段６は、高温出湯判定手段５にベースを接続したトランジスタ７と、このトランジスタ７により駆動され、電源部２へのＡＣ１００Ｖの供給線に設けた接点８ａを開閉するリレー８とで構成されている。従って、トランジスタ７は、高温出湯判定手段５からの燃焼停止信号によりリレー８をＯＮ／ＯＦＦする。
【００３５】
以上のように構成された給湯器について、以下その動作、作用を説明する。給湯器１が給湯運転を行う場合、マイコン３は温度検知手段４で検出された出湯温度と設定温度によりガス弁駆動手段１１を介しガス弁１２を制御して給湯器１のガスバーナ２１の燃焼を制御し、設定温度の湯が出湯されるように通常の制御を行う。そして、このような正常の給湯制御にあって、マイコン３が故障や暴走というトラブルが発生すると給湯器１は通常の制御が機能しなくなり、高温出湯の防止作用が失われる。
【００３６】
その結果、高温出湯判定手段５は温度検知手段４で検出された出湯温度がある温度以上か否かをマイコン３とは別に独立して判定し、ある温度以上の高温であると判定した場合は燃焼停止信号を出力する。そして、トランジスタ７は燃焼停止信号によりＯＮしてリレー８が通電して、通常は閉じている接点８ａを開いて電源部２へのＡＣ１００Ｖを切断する。給湯器１は、ＡＣ１００Ｖが切断されたので電源部２よりマイコン３への電源供給がなくなり、ガス弁駆動手段１１、ガス弁１２の動作が停止し、ガス弁１２が閉じてガスバーナ２１へのガス供給がなくなり燃焼が停止する。
【００３７】
以上のように本実施の形態においては、温度検知手段４で検知した出湯温度がある温度以上であると高温出湯判定手段５が判定すると、高温出湯判定手段５はトランジスタ７へ燃焼停止信号を出力し、リレー８で電源部２へのＡＣ１００Ｖの供給が切断されることで
給湯器１の全体の動作が停止するので、マイコン３とは別に独立して出湯温度の判定と燃焼の停止ができ、マイコンに故障や暴走というトラブルが発生し、マイコンの高温出湯防止機能が正常に機能しない場合でもガスバーナの燃焼を停止し高温出湯を防止することができる。
【００３８】
なお、本発明の実施の形態２では、トランジスタ７とリレー８でＡＣ１００Ｖを切断しているが、ＡＣ１００ＶをＯＮ／ＯＦＦできる構成であれば他の方法でも本実施の形態と同等の作用効果を得ることができる。
【００３９】
（実施の形態３）
図３は、本発明の実施の形態３におけるガス給湯器の構成図を示すものである。本実施の形態は、図１、図２に示す燃焼停止手段６の配置位置を変えた点で図１及び図２に示す実施の形態１、２の発明と異なり、それ以外の同一構成並びに作用効果を奏する部分には図１と同一符号を付して詳細な説明を省略し、異なる部分を中心に説明する。
【００４０】
図３において、燃焼停止手段６は電源部２とガス弁１２の間に設け、ガス弁１２への電源の供給と停止を行うもので、高温出湯判定手段５にベースを接続したトランジスタ９と、このトランジスタ９により駆動され、ガス弁１２への電源部２の供給線に設けた接点１０ａを開閉するリレー１０とで構成されている。従って、トランジスタ９は高温出湯判定手段５からの燃焼停止信号によりリレー１０をＯＮ／ＯＦＦし、ガス弁駆動手段１１で駆動されるガス弁１２の電源を入／切する。
【００４１】
以上のように構成された給湯器について、以下その動作、作用を説明する。給湯器１が給湯運転を行う場合、マイコン３は温度検知手段４で検出された出湯温度と設定温度によりガス弁駆動手段１１を介しガス弁１２を制御して給湯器１のガスバーナ２１の燃焼を制御し、設定温度の湯が出湯されるように通常の制御を行う。そして、このような正常の給湯制御にあって、マイコン３が故障や暴走というトラブルが発生すると給湯器１は通常の制御が機能しなくなり、高温出湯の防止作用が失われる。
【００４２】
その結果、高温出湯判定手段５は温度検知手段４で検出された出湯温度がある温度以上か否かをマイコン３とは別に独立して判定し、ある温度以上の高温であると判定した場合は燃焼停止信号を出力する。そして、トランジスタ９は燃焼停止信号によりＯＮしてリレー１０が通電して、通常は閉じている接点１０ａを開いてガス弁１２への電源部２の供給を切断する。給湯器１はガス弁１２の電源が遮断されたので、閉じたガス弁１２によりガスバーナ２１の燃焼が停止する。
【００４３】
以上のように本発明の実施の形態においては、温度検知手段４で検知した出湯温度がある温度以上であると高温出湯判定手段５が判定すると、高温出湯判定手段５はトランジスタ９へ燃焼停止信号を出力し、リレー１０でガス弁１２への電源が切断されることで給湯器１の燃焼が停止するので、マイコン３とは別に独立して出湯温度の判定と燃焼の停止ができる。
【００４４】
従って、マイコンに故障や暴走というトラブルが発生しマイコンの高温出湯防止機能が正常に機能しない場合でも燃焼を停止し高温出湯を防止することができる。また、ガス弁１２の電源のみを遮断するため、ガス弁１２とは無関係の他の機能は動作可能にしておくことができる。
【００４５】
なお、本発明の実施の形態３ではトランジスタ９とリレー１０でガス弁１２の電源を遮断しているが、ガス弁の電源をＯＮ／ＯＦＦできる構成であれば他の方法でも本実施の形態と同等の作用効果を得ることができる。
【００４６】
（実施の形態４）
図４は、本発明の実施の形態４におけるガス給湯器の構成図を示すものである。本実施の形態は、図１〜図３に示す燃焼停止手段６の配置位置を変えた点で図１〜図３に示す実施の形態１〜３の発明と異なり、それ以外の同一構成並びに作用効果を奏する部分には図１と同一符号を付して詳細な説明を省略し、異なる部分を中心に説明する。
【００４７】
図４において、燃焼停止手段６は電源部２とガス弁駆動手段１１の間に設け、ガス弁駆動手段１１への電源の供給と停止を行うもので、高温出湯判定手段５にベースを接続したトランジスタ１３と、このトランジスタ１３により駆動され、ガス弁駆動手段１１への電源部２の供給線に設けた接点１４ａを開閉するリレー１４とで構成されている。従って、トランジスタ１３は高温出湯判定手段５からの燃焼停止信号によりリレー１４をＯＮ／ＯＦＦし、ガス弁駆動手段１１の電源を入／切する。
【００４８】
以上のように構成された給湯器について、以下その動作、作用を説明する。給湯器１が給湯運転を行う場合、マイコン３は温度検知手段４で検出された出湯温度と設定温度によりガス弁駆動手段１１を介しガス弁１２を制御して給湯器１のガスバーナ２１の燃焼を制御し、設定温度の湯が出湯されるように通常の制御を行う。そして、このような正常の給湯制御にあって、マイコン３が故障や暴走というトラブルが発生すると給湯器１は通常の制御が機能しなくなり、高温出湯の防止作用が失われる。
【００４９】
その結果、高温出湯判定手段５は温度検知手段４で検出された出湯温度がある温度以上か否かをマイコン３とは別に独立して判定し、ある温度以上の高温であると判定した場合は燃焼停止信号を出力する。そして、トランジスタ１３は燃焼停止信号によりＯＮしてリレー１４が通電して、通常は閉じている接点１４ａを開いてガス弁駆動手段１１への電源部２の供給を遮断する。給湯器１は、ガス弁駆動手段１１の電源が遮断されたので、制御が停止したガス弁駆動手段１１によりガス弁１２が閉じてガスバーナ２１へのガス供給が遮断され、燃焼が停止する。
【００５０】
以上のように本発明の実施の形態においては、温度検知手段４で検知した出湯温度がある温度以上であると高温出湯判定手段５が判定すると、高温出湯判定手段５はトランジスタ１３へ燃焼停止信号を出力し、リレー１４でガス弁駆動手段１１の電源が切断されることで給湯器１の燃焼が停止するので、マイコンとは別に独立して出湯温度の判定と燃焼の停止ができ、マイコンに故障や暴走というトラブルが発生しマイコンの高温出湯防止機能が正常に機能しない場合でも燃焼を停止し高温出湯を防止することができる。
【００５１】
また、ガス弁駆動手段１１の電源のみを遮断するため、ガス弁駆動手段１１とは無関係の他の機能は動作可能にしておくことができる。また、ガス弁１２の電源電圧よりガス弁駆動手段１１の電源電圧の方が低電圧で構成できるためトランジスタ１３、リレー１４は、本発明の実施の形態３でのトランジスタ９、リレー１０より小型で、かつ低コストで実現できる。
【００５２】
なお、本発明の実施の形態４ではトランジスタ１３とリレー１４でガス弁駆動手段１１の電源を遮断しているが、ガス弁駆動手段の電源をＯＮ／ＯＦＦできる構成であれば他の方法でも本実施の形態と同等の作用効果を得ることができる。
【００５３】
（実施の形態５）
図５は、本発明の実施の形態におけるガス給湯器の構成図を示すものである。本実施の形態は、図１〜図３に示す燃焼停止手段６の燃焼停止信号で、マイコン３からガス弁駆動手段１１へのガス弁駆動信号を強制的に開弁⇒閉弁側に切り替える構成にした点で図１〜
図４に示す実施の形態１〜４の発明と異なり、それ以外の同一構成並びに作用効果を奏する部分には図１と同一符号を付して詳細な説明を省略し、異なる部分を中心に説明する。
【００５４】
図５において、燃焼停止手段６は高温出湯判定手段５にベースを接続したトランジスタ１５と、このトランジスタ１５のコレクタに接続した抵抗１６とで構成され、かつコレクタをマイコン３のガス弁駆動手段１１への制御信号線に接続している。そして、燃焼停止手段６は、トランジスタ１５が高温出湯判定手段５からの燃焼停止信号によりＯＮ／ＯＦＦすることでマイコン３からガス弁駆動手段１１へのガス弁駆動信号を強制的に開弁⇒閉弁側に切り替えることができる。
【００５５】
以上のように構成された給湯器について、以下その動作、作用を説明する。給湯器１が給湯運転を行う場合、マイコン３は温度検知手段４で検出された出湯温度と設定温度によりガス弁駆動手段１１を介しガス弁１２を制御して給湯器１のガスバーナ２１の燃焼を制御し、設定温度の湯が出湯されるように通常の制御を行う。そして、ガス弁１２は電源部２からの電源でガス弁駆動手段１１により駆動される。
【００５６】
このような正常の給湯制御にあって、マイコン３が故障や暴走というトラブルが発生すると給湯器１は通常の制御が機能しなくなり、高温出湯の防止作用が失われる。
【００５７】
その結果、高温出湯判定手段５は温度検知手段４で検出された出湯温度がある温度以上か否かをマイコン３とは別に独立して判定し、ある温度以上の高温であると判定した場合は燃焼停止信号を出力する。そして、燃焼停止信号を受けた燃焼停止手段６のトランジスタ１５は燃焼停止信号によりＯＮし、マイコン３からガス弁駆動手段１１へのガス弁駆動信号を強制的に開弁⇒閉弁側に切り替える。ガス弁駆動手段１１は閉弁側の信号が入力されたためガス弁１２を遮断する。従って、給湯器１はガス弁１２を開弁できずガスが遮断されガスバーナ２１へのガス供給が遮断され、燃焼が停止する。
【００５８】
以上のように本発明の実施の形態においては、温度検知手段４で検知した出湯温度がある温度以上であると高温出湯判定手段５が判定すると、高温出湯判定手段５は燃焼停止手段６のトランジスタ１５へ燃焼停止信号を出力し、トランジスタ１５は燃焼停止信号によりＯＮ／ＯＦＦすることで、マイコン３からガス弁駆動手段１１へのガス弁駆動信号を強制的に開弁⇒閉弁側に切り替える。
【００５９】
そして、ガス弁駆動信号が強制的に閉弁側へ切り替えられることでガス弁１２が遮断し給湯器１の燃焼が停止するので、マイコンとは別に独立して出湯温度の判定と燃焼の停止ができ、マイコンに故障や暴走というトラブルが発生しマイコンの高温出湯防止機能が正常に機能しない場合でも燃焼を停止し高温出湯を防止することができる。
【００６０】
また、ガス弁駆動手段１１へのガス弁駆動信号のみを開弁⇒閉弁側へ切り替えるだけのため、ガス弁駆動手段１１とは無関係の他の機能は動作可能にしておくことができる。  
【００６１】
また、ガス弁１２の電源電圧をＯＮ／ＯＦＦすることやガス弁駆動手段１１の電源電圧をＯＮ／ＯＦＦすることよりも、マイコン３からのガス弁駆動信号を開弁⇒閉弁へ切り替える方が小型で簡単に構成できるため、本発明の実施の形態３や、本発明の実施の形態４より小型で、かつ低コストで実現できる。
【００６２】
なお、本発明の実施の形態５ではトランジスタ１５でガス弁駆動信号を開弁側⇒閉弁側へ切り替えているが、ガス弁駆動信号を開弁側⇒閉弁側へ切り替えできる構成であれば他の方法でも本実施の形態と同等の作用効果を得ることができる。
【００６３】
また、本発明の実施の形態５ではマイコンから出力した直後のガス弁駆動信号を開弁側⇒閉弁側へ切り替えているが、マイコンからガス弁へ至る途中でガス弁駆動信号を開弁側⇒閉弁側へ切り替えできる構成であれば他の方法でも本実施の形態と同等の作用効果を得ることができる。
【００６４】
（実施の形態６）
図６、図７は、本発明の実施の形態におけるガス給湯器の構成図を示すものである。本実施の形態は、図６において高温出湯判定手段５と燃焼停止手段６の間にタイマー手段１７を追加した点で、図２に示す本発明の実施の形態２と異なり、それ以外の同一構成並びに作用効果を奏する部分には図２と同一符号を付して詳細な説明を省略し、異なる部分を中心に説明する。
【００６５】
また図７に示す本実施の形態は、図６のタイマー手段１７を、抵抗１９とコンデンサ１８で構成した点で図６に示す実施の形態と異なり、それ以外の同一構成並びに作用効果を奏する部分には図６と同一符号を付して詳細な説明を省略し、異なる部分を中心に説明する。
【００６６】
図７において、タイマー手段１７は、抵抗１９の一端を高温出湯判定手段５に、他端を燃焼停止手段６のトランジスタ７のベースにそれぞれ接続している。従って、高温出湯判定手段５から出力された燃焼停止信号は、タイマー手段１７の抵抗１９を介しコンデンサ１８に充電された後、燃焼停止手段６のトランジスタ７に入力される。
【００６７】
以上のように構成された給湯器について、以下その動作、作用を図７で説明する。給湯器１が給湯運転を行う場合、マイコン３は温度検知手段４で検出された出湯温度と設定温度によりガス弁駆動手段１１を介しガス弁１２を制御して給湯器１のガスバーナ２１の燃焼を制御し、設定温度の湯が出湯されるように通常の制御を行う。そして、このような正常の給湯制御にあって、マイコン３が故障や暴走というトラブルが発生すると給湯器１は通常の制御が機能しなくなり、高温出湯の防止作用が失われる。
【００６８】
その結果、高温出湯判定手段５は温度検知手段４で検出された出湯温度がある温度以上か否かをマイコン３とは別に独立して判定し、ある温度以上の高温であると判定した場合は燃焼停止信号を出力する。そして、出力された燃焼停止信号はタイマー手段１７の抵抗１９を介しコンデンサ１８に充電された後、燃焼停止手段６のトランジスタ７に入力される。
【００６９】
この時、コンデンサ１８の充電に必要な時間は抵抗１９の抵抗値とコンデンサ１８の容量と燃焼停止信号の電圧で決定される。燃焼停止信号が入力されると、トランジスタ７はＯＮしてリレー８が通電して、通常は閉じている接点８ａを開いて電源部２へのＡＣ１００Ｖを切断する。給湯器１は、ＡＣ１００Ｖが切断されたので電源部２よりマイコン３への電源供給がなくなり、ガス弁駆動手段１１、ガス弁１２の動作が停止し、ガス弁１２が閉じてガスバーナ２１へのガス供給がなくなり燃焼が停止する。
【００７０】
以上のように、本発明の実施の形態においては、温度検知手段４で検知した出湯温度がある温度以上であると高温出湯判定手段５が判定すると、高温出湯判定手段５はトランジスタ７へ燃焼停止信号を出力し、リレー８でＡＣ１００Ｖが切断されることで給湯器が停止するので、マイコンとは別に独立して出湯温度の判定と燃焼の停止ができ、マイコンに故障や暴走というトラブルが発生しマイコンの高温出湯防止機能が正常に機能しない場合でも燃焼を停止し高温出湯を防止することができる。
【００７１】
また、燃焼停止信号が出力された後タイマー手段１７で遅延されてトランジスタ７に入
力されるため、トランジスタ７でリレー８を駆動しＡＣ１００Ｖを遮断するには、燃焼停止信号はタイマー手段１７で遅延される間出力を続ける必要がある。従って、ノイズ等で一時的に高温出湯判定手段５が出湯温度がある温度以上の高温であると誤判定し、一時的に燃焼停止信号を出力してもタイマー手段１７で遅延される時間より短ければトランジスタ７は反応しないため給湯器１が誤って燃焼停止することを防ぐことができる。
【００７２】
従って、出湯温度がある温度以上の高温になった状態がある時間継続しないと燃焼停止は作動せず、ノイズ等の影響で一瞬の間高温出湯と判定してしまうことによる燃焼停止を防止することができる。
【００７３】
なお、本発明の実施の形態６ではタイマー手段１７として抵抗１９とコンデンサ１８で燃焼停止信号の伝達を遅延させているが、燃焼停止信号の伝達を遅延できる構成であれば他の方法でも本実施の形態と同等の作用効果を得ることができる。
【００７４】
また、本発明の実施の形態６では本発明の実施の形態２にタイマー手段１７を追加してノイズ等の影響で一瞬の間高温出湯と判定してしまうことによる燃焼停止を防止しているが、本発明の実施の形態１、３、４、５においても、高温出湯判定手段５から燃焼停止手段６に至る途中に、本実施の形態のタイマー手段１７を設けることで、本発明の実施の形態６と同様に出湯温度がある温度以上の高温になった状態がある時間継続しないと燃焼停止は作動せず、ノイズ等の影響で一瞬の間、高温出湯と判定してしまうことによる燃焼停止を防止することができる。
【００７５】
なお、本発明の上記の各実施の形態ではガスを熱源とするガス給湯器を例に説明したが、電気を熱源とする給湯器、熱源としてヒートポンプ方式の給湯器に適用しても、本実施の形態と同等の作用効果を期待できるものである。
【産業上の利用可能性】
【００７６】
以上のように、本発明の給湯器は、給湯器の加熱手段を制御する制御手段とは別に、前記制御手段に異常が起こり、出湯温度がある温度以上の高温になったことを判定した高温出湯判定手段の出力で加熱停止手段が給湯器の加熱を停止させるので、通常の制御を行う制御手段に異常が発生して制御不能になっても、給湯器の加熱手段の加熱停止と高温出湯の防止ができ安全な給湯器を提供でき、ガス、電気を熱源とする給湯器はもちろん、熱源としてヒートポンプ方式の給湯器にも適用できるものである。
【図面の簡単な説明】
【００７７】
【図１】本発明の実施の形態１における給湯器の構成図
【図２】本発明の実施の形態２における給湯器の構成図
【図３】本発明の実施の形態３における給湯器の構成図
【図４】本発明の実施の形態４における給湯器の構成図
【図５】本発明の実施の形態５における給湯器の構成図
【図６】本発明の実施の形態６における給湯器の構成図
【図７】本発明の実施の形態６における給湯器の他の構成図
【図８】従来の給湯器の構成図
【符号の説明】
【００７８】
１   給湯器
２   電源部
３   マイコン（制御手段）
４   温度検知手段
５   高温出湯判定手段
６   燃焼停止手段（加熱停止手段）
７   トランジスタ
８   リレー
９   トランジスタ
１０   リレー
１１   ガス弁駆動手段（熱源供給制御手段）
１２   ガス弁（熱源供給手段）
１３   トランジスタ
１４   リレー
１５   トランジスタ
１６   抵抗
１７   タイマー手段
１８   コンデンサ
１９   抵抗
【図１】
2008133993.tif 000003
【図２】
2008133993.tif 000004
【図３】
2008133993.tif 000005
【図４】
2008133993.tif 000006
【図５】
2008133993.tif 000007
【図６】
2008133993.tif 000008
【図７】
2008133993.tif 000009
【図８】
2008133993.tif 000010